(57)【特許請求の範囲】
【請求項１】
純水または超純水に炭酸ガスを溶解させた炭酸ガス溶解水をユースポイントに供給する炭酸ガス溶解水供給システムであって、
前記炭酸ガス溶解水を生成する炭酸ガス溶解装置と、
前記炭酸ガス溶解水に含まれるイオン性不純物を除去するイオン交換装置であって、重炭酸イオン形と炭酸イオン形とが混在するアニオン交換体が充填されたイオン交換装置と、
を有する炭酸ガス溶解水供給システム。
【請求項２】
前記炭酸ガス溶解装置と前記イオン交換装置とを含む循環経路に沿って前記炭酸ガス溶解水を循環させる循環手段と、
前記循環経路に沿って循環する前記炭酸ガス溶解水の一部を前記ユースポイントに供給する供給手段と、
を有する、請求項１に記載の炭酸ガス溶解水供給システム。
【請求項３】
前記循環経路に設けられ、前記炭酸ガス溶解水中の溶存酸素を除去する脱気装置をさらに有する、請求項２に記載の炭酸ガス溶解水供給システム。
【請求項４】
前記脱気装置が、前記炭酸ガス溶解水に水素を溶解させる水素ガス溶解装置と、前記水素が溶解した前記炭酸ガス溶解水と接触することで該炭酸ガス溶解水から前記溶存酸素を除去する白金族金属担持触媒を備えた触媒反応装置と、を有する、請求項３に記載の炭酸ガス溶解水供給システム。
【請求項５】
前記白金族金属担持触媒が、白金族金属と、該白金族金属が担持されたアニオン交換体とから構成され、
前記アニオン交換体が、重炭酸イオン形のアニオン交換体、または、重炭酸イオン形と炭酸イオン形とが混在するアニオン交換体である、
請求項４に記載の炭酸ガス溶解水供給システム。
【請求項６】
前記脱気装置が膜脱気装置である、請求項３に記載の炭酸ガス溶解水供給システム。
【請求項７】
前記炭酸ガス溶解水に窒素を溶解させる窒素ガス溶解装置をさらに有する、請求項２から６のいずれか１項に記載の炭酸ガス溶解水供給システム。
【請求項８】
前記ユースポイントに供給された前記炭酸ガス溶解水を前記循環経路に還流させる還流手段をさらに有する、請求項２から７のいずれか１項に記載の炭酸ガス溶解水供給システム。
【請求項９】
前記イオン交換装置に充填された前記アニオン交換体の総イオン交換容量に対する、重炭酸イオン形のアニオン交換体のイオン交換容量の割合が、化学当量基準で、７０当量％以上である、請求項１から８のいずれか１項に記載の炭酸ガス溶解水供給システム。
【請求項１０】
前記炭酸ガス溶解水の炭酸ガス濃度を測定する濃度測定手段と、
前記濃度測定手段により測定された前記炭酸ガス濃度に基づいて、前記炭酸ガス溶解装置の炭酸ガス溶解量を調整する制御手段と、
を有する、請求項１から９のいずれか１項に記載の炭酸ガス溶解水供給システム。
【請求項１１】
純水または超純水に炭酸ガスを溶解させた炭酸ガス溶解水をユースポイントに供給する炭酸ガス溶解水供給方法であって、
前記炭酸ガス溶解水を生成する工程と、
重炭酸イオン形と炭酸イオン形とが混在するアニオン交換体によるイオン交換処理により、前記炭酸ガス溶解水に含まれるイオン性不純物を除去する工程と、
を含む炭酸ガス溶解水供給方法。
【請求項１２】
純水または超純水に炭酸ガスを溶解させた炭酸ガス溶解水をユースポイントに供給する炭酸ガス溶解水供給システムに使用され、前記炭酸ガス溶解水に含まれるイオン性不純物を除去するイオン交換装置であって、重炭酸イオン形と炭酸イオン形とが混在するアニオン交換体が充填されたイオン交換装置。
【発明の詳細な説明】
【技術分野】
【０００１】
本発明は、純水または超純水に炭酸ガスを溶解させた炭酸ガス溶解水をユースポイントに供給する炭酸ガス溶解水供給システムおよび供給方法と、その供給システムに使用されるイオン交換装置とに関する。
【背景技術】
【０００２】
半導体や液晶の製造プロセスでは、不純物が高度に除去された超純水を用いて、半導体ウエハやガラス基板の洗浄が行われている。
【０００３】
このような超純水を用いた半導体ウエハの洗浄では、比抵抗値の高い超純水を用いることで、洗浄時に静電気が発生しやすくなり、絶縁膜の静電破壊や微粒子の再付着を招くおそれがあることが知られている。半導体ウエハの洗浄装置としては、複数枚のウエハを同時に洗浄するバッチ式洗浄装置と、ウエハを１枚ずつ洗浄する枚葉式洗浄装置とがあるが、上述の静電気の問題は、枚葉式洗浄装置において特に発生しやすい傾向にある。近年、ウエハサイズの大型化に伴い、枚葉式洗浄装置が広く使用されるようになっており、そのため、静電気の発生を抑制することが強く求められている。
【０００４】
こうした要求に対して、多くの場合、超純水に炭酸ガスを溶解させることで、超純水の比抵抗値を所望の範囲に調整し、静電気の発生を抑制することが行われている（例えば、特許文献１〜３参照）。
【先行技術文献】
【特許文献】
【０００５】
【特許文献１】特開２００７−３１７７９２号公報
【特許文献２】特開２０１１−１４３３６８号公報
【特許文献３】特開２０１２−１０９２９０号公報
【発明の概要】
【発明が解決しようとする課題】
【０００６】
超純水の比抵抗値が調整された炭酸ガス溶解水を用いたこれまでの洗浄では、例えば、超純水に含まれる炭酸ガスそのものの濃度（比抵抗値）は考慮されているものの、その他の成分の濃度については全く考慮されていない。すなわち、超純水に炭酸ガスを溶解させた炭酸ガス溶解水に含まれる不純物の濃度については全く考慮されていない。このような不純物、特にイオン性不純物を低減することは、製品の歩留まりを向上させるために重要であり、デバイスの高密度化・微細化に対応する上でも重要である。
【０００７】
そこで、本発明の目的は、所望の水質の炭酸ガス溶解水を清浄度が高い状態でユースポイントに供給可能な炭酸ガス溶解水供給システムおよび供給方法と、その供給システムに使用されるイオン交換装置とを提供することである。
【課題を解決するための手段】
【０００８】
上述した目的を達成するために、本発明の炭酸ガス溶解水供給システムは、純水または超純水に炭酸ガスを溶解させた炭酸ガス溶解水をユースポイントに供給する炭酸ガス溶解水供給システムであって、炭酸ガス溶解水を生成する炭酸ガス溶解水生成装置と、炭酸ガス溶解水に含まれるイオン性不純物を除去するイオン交換装置であって、重炭酸イオン形と炭酸イオン形とが混在するアニオン交換体が充填されたイオン交換装置と、を有している。
【０００９】
また、本発明の炭酸ガス溶解水供給方法は、純水または超純水に炭酸ガスを溶解させた炭酸ガス溶解水をユースポイントに供給する炭酸ガス溶解水供給方法であって、炭酸ガス溶解水を生成する工程と、重炭酸イオン形と炭酸イオン形とが混在するアニオン交換体によるイオン交換処理により、炭酸ガス溶解水に含まれるイオン性不純物を除去する工程と、を含んでいる。
【００１０】
また、本発明のイオン交換装置は、純水または超純水に炭酸ガスを溶解させた炭酸ガス溶解水をユースポイントに供給する炭酸ガス溶解水供給システムに使用され、炭酸ガス溶解水に含まれるイオン性不純物を除去するイオン交換装置であって、そのイオン交換装置には、重炭酸イオン形と炭酸イオン形とが混在するアニオン交換体が充填されている。
【００１１】
このような炭酸ガス溶解水供給システム、炭酸ガス溶解水供給方法、およびイオン交換装置では、イオン交換処理の前後で炭酸ガス溶解水の炭酸ガス濃度（比抵抗値）を変動させることなく、炭酸ガス溶解水に含まれるイオン性不純物、特にアニオン性不純物を除去することができる。
【発明の効果】
【００１２】
以上、本発明によれば、所望の水質の炭酸ガス溶解水を清浄度が高い状態でユースポイントに供給することができる。
【図面の簡単な説明】
【００１３】
【図１】本発明の第１の実施形態による炭酸ガス溶解水供給システムの概略構成図である。
【図２】本発明の第２の実施形態による炭酸ガス溶解水供給システムの概略構成図である。
【図３】本発明の第３の実施形態による炭酸ガス溶解水供給システムの概略構成図である。
【図４】本発明の第４の実施形態による炭酸ガス溶解水供給システムの概略構成図である。
【図５】本発明の第５の実施形態による炭酸ガス溶解水供給システムの概略構成図である。
【図６】本発明の第６の実施形態による炭酸ガス溶解水供給システムの概略構成図である。
【発明を実施するための形態】
【００１４】
以下、図面を参照して、本発明の実施の形態について説明する。
【００１５】
（第１の実施形態）
まず、本発明の第１の実施形態による炭酸ガス溶解水供給システムの構成について説明する。図１は、本実施形態の炭酸ガス溶解水供給システムの概略構成図である。
【００１６】
炭酸ガス溶解水供給システム（以下、単に「供給システム」ともいう）１は、純水または超純水に炭酸ガスを溶解させた炭酸ガス溶解水をユースポイント２に供給するシステムであり、炭酸ガス溶解水を生成する炭酸ガス溶解装置３と、イオン交換処理により炭酸ガス溶解水に含まれるイオン性不純物を除去するイオン交換装置４とを有している。本実施形態では、炭酸ガス溶解装置３とイオン交換装置４とは、純水または超純水（炭酸ガス溶解水）の流れ方向にこの順で配置されているが、後述する他の実施形態のように、システムの構成によっては、炭酸ガス溶解装置３の上流側にイオン交換装置４が接続されていてもよい。なお、ここでいう「純水または超純水」とは、純水製造装置または超純水製造装置を用いて被処理水（原水）からイオンおよび非イオン性物質を除去して得られる処理水を意味し、比抵抗値が１ＭΩ・ｃｍ以上の処理水を「純水」といい、比抵抗値が１８ＭΩ・ｃｍ以上の処理水を「超純水」というものとする。
【００１７】
炭酸ガス溶解装置３は、原料水（本実施形態では純水または超純水）に炭酸ガスを溶解させて炭酸ガス溶解水を生成するものである。炭酸ガス溶解装置３としては、純水または超純水に炭酸ガスを溶解させることができるものであればよく、例えば、中空糸製のガス透過膜を用いて炭酸ガスを溶解させる方法、配管内に直接炭酸ガスをバブリングする方法、炭酸ガスを注入後にスタティックミキサーなどの分散手段を用いて溶解させる方法、ガス溶解槽に純水または超純水を供給するポンプの上流側に炭酸ガスを供給し、ポンプ内の攪拌によって溶解させる方法などを用いることができる。特に、膜面積（気液接触面積）が大きく、炭酸ガスを効率的に溶解させることができる点で、中空糸製のガス透過膜を用いて炭酸ガスを溶解させる方法を用いることが好ましい。炭酸ガスは、炭酸ガスライン（図示せず）を通じて炭酸ガス溶解装置３に供給することができる。
【００１８】
イオン交換装置４は、イオン交換処理によって炭酸ガス溶解水に含まれるイオン性不純物を除去するものであり、イオン交換体が充填されたイオン交換塔を有している。イオン交換装置４は、処理性能を高度に維持するために、非再生型イオン交換装置（カートリッジポリッシャー）であることが好ましい。以下、イオン交換塔に充填されるイオン交換体について詳細に説明する。
【００１９】
炭酸ガス溶解水の溶媒として、不純物が高度に除去された純水または超純水が用いられているため、炭酸ガス溶解水に含まれる不純物としては、純水または超純水に溶解される炭酸ガス由来の不純物が考えられる。炭酸ガスは、工業的には、石油化学プラントや製鉄所から排出される排ガスを原料として製造されているため、不純物として、塩化水素や二酸化硫黄など、炭酸ガス以外の酸性ガスを含む可能性がある。高純度（例えば、９９．９９％以上）の炭酸ガスを用いることで、このような不純物としての酸性ガスの混入を抑制することはできるが、純度の高いものほど高価である。
【００２０】
このため、本実施形態では、炭酸ガス溶解水に含まれる、酸性ガスなどに由来するアニオン性不純物を除去するために、イオン交換装置４のイオン交換塔には、少なくともアニオン交換体が充填されている。アニオン交換体としては、アニオン交換樹脂、モノリス状有機多孔質アニオン交換体などが挙げられるが、アニオン交換樹脂（例えば、スチレン系のゲル形またはＭＲ形のアニオン交換樹脂）が好適に用いられる。
【００２１】
イオン交換樹脂は、高分子母体にイオン交換基が導入されたものであり、イオン交換基の対イオンを変えることで、そのイオン形を変えることができ、除去対象となるイオン性不純物に対応したイオン形にすることができる。多くの水処理システムでは、できるだけ多くの種類のアニオン性不純物を除去するために、ＯＨ形のアニオン交換樹脂、すなわち、アニオン交換基の対アニオンが水酸化物イオン（ＯＨ−）であるアニオン交換樹脂が使用されている。しかしながら、炭酸ガス溶解水に含まれるアニオン性不純物を除去する目的でＯＨ形のアニオン交換樹脂を使用すると、炭酸ガス溶解水のイオン交換塔への通水初期には、炭酸ガス溶解水から炭酸ガス（炭酸（Ｈ２ＣＯ３）の解離によって生成される重炭酸イオン（ＨＣＯ３−）や炭酸イオン（ＣＯ３２−））そのものが除去されてしまう。そのため、本来の目的である比抵抗値の調整された炭酸ガス溶解水の供給ができなくなる。
【００２２】
したがって、本実施形態では、重炭酸イオン形と炭酸イオン形とが混在するアニオン交換樹脂が好適に使用されている。ここでいう「重炭酸イオン形」および「炭酸イオン形」とは、上述の通り、アニオン交換樹脂中のアニオン交換基の対アニオンがそれぞれ重炭酸イオン（ＨＣＯ３−）および炭酸イオン（ＣＯ３２−）であることを意味する。したがって、ここでいう「重炭酸イオン形と炭酸イオン形とが混在する」とは、アニオン交換樹脂が、対アニオンが重炭酸イオンであるアニオン交換基と、対アニオンが炭酸イオンであるアニオン交換基とを有していることを意味する。以下、対アニオンが重炭酸イオンおよび炭酸イオンであるアニオン交換基を、それぞれ「重炭酸イオン形のアニオン交換基」および「炭酸イオン形のアニオン交換基」というものとする。
【００２３】
このように、イオン交換塔に充填されるアニオン交換樹脂を、重炭酸イオン形と炭酸イオン形とが混在するアニオン交換樹脂とすることで、イオン交換処理の前後で炭酸ガス溶解水の炭酸ガス濃度（比抵抗値）を変動させることなく、炭酸ガス溶解水に含まれるアニオン性不純物を除去することができる。その結果、本実施形態の供給システム１では、所望の水質の炭酸ガス溶解水を清浄度が高い状態でユースポイント２に供給することができる。
【００２４】
なお、イオン交換装置４のイオン交換塔には、カチオン交換体がさらに充填されていてもよい。炭酸ガス溶解水には、炭酸ガス供給源であるガスボンベや配管に由来して、カチオン性不純物（例えば、Ｎａ、Ｃａ、Ｆｅ、Ｎｉ、Ｍｎ、Ａｌなど）が含まれる可能性がある。イオン交換装置４のイオン交換塔にカチオン交換体がさらに充填されていることで、このようなカチオン性不純物も除去することができる。このとき、イオン交換塔におけるアニオン交換体とカチオン交換体との充填形態は、複床形態であってもよいが、イオン交換体に由来する微量の不純物を効率的に除去し、清浄度をより高くすることができる点で、混床形態であることがより好ましい。カチオン交換体としては、カチオン交換樹脂、例えば、スチレン系のゲル形またはＭＲ形のカチオン交換樹脂が好適に用いられる。本実施形態では、できるだけ多くの種類のカチオン性不純物を除去するために、Ｈ形のカチオン交換樹脂、すなわち、カチオン交換基の対カチオンが水素イオン（Ｈ＋）であるカチオン交換樹脂を用いることが好ましい。
【００２５】
イオン交換塔に充填されるアニオン交換樹脂としては、重炭酸イオン形および炭酸イオン形以外のイオン形のアニオン交換樹脂が含まれていてもよい。すなわち、イオン交換塔に充填されるアニオン交換樹脂が、重炭酸イオン形のアニオン交換基および炭酸イオン形のアニオン交換基以外のアニオン交換基を含んでいてもよい。ただし、その場合には、上述したように、イオン交換塔への通水初期において所望の水質の炭酸ガス溶解水をユースポイントに供給できない可能性がある。
【００２６】
このことを考慮すると、アニオン交換樹脂中の実質的にすべてのアニオン交換基は、重炭酸イオン形および炭酸イオン形のいずれかであることが好ましい。すなわち、イオン交換塔に充填されるアニオン交換樹脂の総イオン交換容量に対する、重炭酸イオン形のアニオン交換樹脂のイオン交換容量と炭酸イオン形のアニオン交換樹脂のイオン交換容量との合計の割合は、化学当量基準で、８０当量％以上であることが好ましく、９５当量％以上であることがより好ましく、１００当量％であることがさらに好ましい。
【００２７】
重炭酸イオン形（１価）のアニオン交換樹脂は、炭酸イオン形（２価）のアニオン交換樹脂に比べて選択性が低い。そのため、重炭酸イオン形のアニオン交換樹脂は、特に、被処理水（炭酸ガス溶解水）中に不純物として選択性が低いアニオンが存在する場合や、低濃度のイオン交換負荷の場合の処理性能の向上に効果がある。このことから、本実施形態では、重炭酸イオン形のアニオン交換樹脂のイオン交換容量と炭酸イオン形のアニオン交換樹脂のイオン交換容量との合計に対する、重炭酸イオン形のアニオン交換樹脂のイオン交換容量の割合は、化学当量基準で、７０当量％以上、好ましくは７５当量％以上、より好ましくは８０当量％以上である。これにより、アニオン交換樹脂による炭酸ガス溶解水の精製性能をより一層向上させることができる。
【００２８】
ここで、上述したアニオン交換樹脂、すなわち、重炭酸イオン形および炭酸イオン形のアニオン交換基の総数に対する、重炭酸イオン形のアニオン交換基の割合が７０当量％以上である、アニオン交換樹脂の製造方法について、簡単に説明する。
【００２９】
まず、ＯＨ形のアニオン交換樹脂を準備する。このアニオン交換樹脂としては、例えば、スチレン系のゲル形またはＭＲ形のアニオン交換樹脂を用いることができる。また、このアニオン交換樹脂は、ＯＨ形のアニオン交換基以外のアニオン交換基を含んでいてもよいが、上述したように、実質的にすべてのアニオン交換基のイオン形は、ＯＨ形であることが好ましい。
【００３０】
次に、純水または超純水に炭酸ガスを溶解させた炭酸ガス溶解水を、上述したＯＨ形のアニオン交換樹脂に接触させる。具体的には、炭酸ガス溶解水を、上述したＯＨ形のアニオン交換樹脂が充填されたイオン交換塔に供給して通過させ、アニオン交換樹脂に接触させる。これにより、アニオン交換基の対アニオンが、水酸化物イオンから重炭酸イオンまたは炭酸イオンに変換され、アニオン交換基のイオン形が、ＯＨ形から重炭酸イオン形または炭酸イオン形に変換される。
【００３１】
そして、イオン形の変換が終了したか否かを判断し、イオン形の変換が終了したと判断した時点で、イオン交換塔への炭酸ガス溶解水の供給を停止する。イオン形の変換が終了したか否かの判断は、例えば、イオン交換塔を通過する前後での炭酸ガス溶解水の導電率、すなわち、イオン交換塔の入口での炭酸ガス溶解水の導電率（入口導電率）と出口での炭酸ガス溶解水の導電率（出口導電率）とに基づいて行うことができる。具体的には、導電率計を用いて、入口導電率と出口導電率とを計測し、入口導電率に対する出口導電率の割合（（出口導電率／入口導電率）×１００）が、９０％以上となった時点、好ましくは９５％以上となった時点で、イオン形の変換が終了したと判断することができる。これは、イオン形の変換が進行するにつれて、イオン形の変換のために消費される炭酸ガス溶解水中の重炭酸イオンおよび炭酸イオンの量が減少していき、イオン形の変換の終了間際になると、そのほとんどが消費されなくなるためである。なお、入口導電率が既知である場合には、出口導電率だけを計測するようになっていてもよい。
【００３２】
上述のイオン形の変換のためにアニオン交換樹脂に接触させる溶液として、炭酸ガス溶解水の代わりに、例えば、重炭酸アンモニウム水溶液などの重炭酸塩水溶液を用いることもできる。しかしながら、重炭酸塩水溶液は弱アルカリ性であるため、重炭酸塩水溶液中では、炭酸の解離は２価の炭酸イオンへの解離が多くなる。そのため、アニオン交換基の対アニオンを水酸化物イオンから重炭酸イオンまたは炭酸イオンに変換する際に、重炭酸イオンに変換する割合をある一定以上には高くすることができない。
【００３３】
これに対し、炭酸ガス溶解水は弱酸性であり、炭酸ガス溶解水中では、炭酸の解離は１価の重炭酸イオンへ解離が多くなる。そのため、このような炭酸ガス溶解水をＯＨ形のアニオン交換樹脂に接触させることで、アニオン交換基の対アニオンを水酸化物イオンから重炭酸イオンまたは炭酸イオンに変換する際に、重炭酸イオンに変換する割合を非常に多くすることができる。こうして、重炭酸イオン形のアニオン交換基の割合が非常に多いアニオン交換樹脂を得ることができる。すなわち、重炭酸イオン形のアニオン交換基と炭酸イオン形のアニオン交換基の総数に対する、重炭酸イオン形のアニオン交換基の数の割合が、化学当量基準で７０当量％以上であるアニオン交換樹脂を得ることができる。なお、本実施形態で用いられる炭酸ガス溶解水の酸性度は、具体的には、好ましくはｐＨが５以下であり、より好ましくはｐＨが４．５以下である。
【００３４】
なお、本実施形態の供給システム１では、炭酸ガス溶解水の溶媒として純水または超純水が用いられているため、炭酸ガス溶解装置３の炭酸ガス溶解量から、炭酸ガス溶解水の炭酸ガス濃度（比抵抗値）を概ね把握することができる。しかしながら、所望の水質の炭酸ガス溶解水を安定して得るためには、炭酸ガス溶解水の炭酸ガス濃度をより正確に把握し、それに基づいて、炭酸ガス溶解装置３の炭酸ガス溶解量を調整することが好ましい。したがって、本実施形態の供給システム１は、炭酸ガス溶解水の炭酸ガス濃度を測定する溶存炭酸ガス計（濃度測定手段）５と、溶存炭酸ガス計５により測定された炭酸ガス濃度に基づいて、炭酸ガス溶解装置３の炭酸ガス溶解量を調整する制御部（制御手段）６を有していることが好ましい。本実施形態では、溶存炭酸ガス計５は、イオン交換装置４の下流側に接続された配管から分岐したサンプリングラインに設けられているが、溶存炭酸ガス計５の配置は、これに限定されるものではない。例えば、溶存炭酸ガス計５が設置されるサンプリングラインは、炭酸ガス溶解装置３とイオン交換装置４との間の配管に接続されていてもよい。
【００３５】
上述したように、本実施形態では、炭酸ガス溶解水の溶媒として純水または超純水が用いられているため、炭酸ガス溶解水の炭酸ガス濃度と比抵抗値（導電率）との間には相関関係がある。したがって、溶存炭酸ガス計５を用いて炭酸ガス溶解水の炭酸ガス濃度を測定する代わりに、比抵抗計（導電率計）を用いて炭酸ガスの比抵抗値（導電率）を測定することもできる。
【００３６】
また、本実施形態の供給システム１は、ユースポイント２に供給される炭酸ガス溶解水中の微粒子を除去するために、イオン交換装置４の下流側に接続された精密ろ過膜装置７を有していてもよい。
【００３７】
（第２の実施形態）
次に、本発明の第２の実施形態による炭酸ガス溶解水供給システムの構成について説明する。図２は、本実施形態の炭酸ガス溶解水供給システムの概略構成図である。以下、第１の実施形態と同様の構成については、図面に同じ符号を付してその説明を省略し、第１の実施形態と異なる構成のみ説明する。
【００３８】
本実施形態の供給システム１では、炭酸ガス溶解装置３とイオン交換装置４とが、循環ライン１１に設けられている。循環ライン１１には、炭酸ガス溶解水を貯留する貯留タンク１２と、循環ポンプ（循環手段）１３とがさらに設けられている。こうして、循環ライン１１と、貯留タンク１２と、循環ポンプ１３と、炭酸ガス溶解装置３と、イオン交換装置４とによって、循環経路１０が形成されている。また、供給システム１は、循環ライン１１とユースポイント２とを接続し、循環経路１０に沿って循環する炭酸ガス溶解水の一部をユースポイント２に供給するための供給ライン１４（供給手段）を有している。
【００３９】
このような構成により、清浄度が高く、所望の水質の炭酸ガス溶解水を、循環経路１０に沿って循環させることができ、必要なときに、必要な分だけユースポイント２に供給することができる。すなわち、清浄度が高く、所望の水質の炭酸ガス溶解水の、ユースポイント２への安定供給が可能になる。また、本実施形態の構成によれば、ユースポイント２での炭酸ガス溶解水の使用状況にかかわらず、供給システム１の連続運転が可能になる。そのため、供給システム１の起動直後には、ユースポイント２での使用には不十分な清浄度および水質の炭酸ガス溶解水を外部にブロー排出することがあるが、本実施形態では、そのような炭酸ガス溶解水を外部にブロー排出する必要もなくなる。このことも含めて、本実施形態は、炭酸ガス溶解水の使用量、ひいては高価な炭酸ガスの使用量を削減することができる点でも有利である。さらに、本実施形態の構成によれば、炭酸ガス溶解水を循環処理することで、不純物をより一層低減することができ、より清浄度の高い炭酸ガス溶解水を得ることもできる。
【００４０】
貯留タンク１２には、純水製造装置または超純水製造装置（図示せず）から貯留タンク１２に純水または超純水を補給するための純水または超純水補給ライン１５ａが接続されている。これにより、ユースポイント２での炭酸ガス溶解水の使用量が多く、循環する炭酸ガス溶解水の量が減少する場合には、純水または超純水補給ライン１５ａから貯留タンク１２に純水または超純水を補給することができる。なお、貯留タンク１２には、貯留タンク１２に窒素ガスや清浄空気を導入するためのガス導入ライン（図示せず）と、貯留タンク１２から外部に窒素ガスや清浄空気を排出するためのガス排出ライン（図示せず）とがさらに接続されている。
【００４１】
さらに、循環ポンプ１３と炭酸ガス溶解装置３との間の循環ライン１１には、循環停止弁１１ａが設けられ、この循環停止弁１１ａの下流側に、補給弁１１ｂを介して純水または超純水補給ライン１５ｂが接続されている。この純水または超純水補給ライン１５ｂは、供給システム１の運転開始時や循環ポンプ１３に故障などの不具合が生じた場合に、炭酸ガス溶解装置３に純水または超純水を供給するために設けられている。すなわち、循環ライン１１の循環停止弁１１ａを閉止し、純水または超純水補給ライン１５ｂの補給弁１１ｂを開放することで、純水または超純水補給ライン１５ｂから炭酸ガス溶解装置３に純水または超純水を供給することができる。一方で、上述したように炭酸ガス溶解水の循環流量が減少する場合には、循環ライン１１の循環停止弁１１ａを開放したまま、純水または超純水補給ライン１５ｂの補給弁１１ｂを開放することで、純水または超純水補給ライン１５ｂからも純水または超純水を補給することができる。
【００４２】
ところで、純水または超純水補給ライン１５ａから貯留タンク１２に純水または超純水が補給される場合、その補給量、すなわち、ユースポイント２での炭酸ガス溶解水の使用量に応じて、貯留タンク１２内の炭酸ガス溶解水の炭酸ガス濃度が変化する。したがって、炭酸ガス溶解装置３に供給される原料水としての炭酸ガス溶解水の炭酸ガス濃度は変化することになる。このような観点から、本実施形態では、供給システム１が溶存炭酸ガス計５（または比抵抗計）と制御部６とを有し、フィードバック制御によって炭酸ガス溶解量の調整を行うようになっていることが特に有利である。これは、炭酸ガス溶解装置３の入口側の炭酸ガス濃度が変動した場合にも、炭酸ガス溶解水の出口側の炭酸ガス濃度が所定の濃度範囲に収まるように、炭酸ガス溶解装置３の炭酸ガス溶解量を最適に調整することができるためである。その結果、ユースポイント２での炭酸ガス溶解水の使用状況にかかわらず、ユースポイント２に供給可能な炭酸ガス溶解水の炭酸ガス濃度を常に一定に保つことができる。
【００４３】
一方で、要求される炭酸ガス溶解水の炭酸ガス濃度が飽和濃度以上である場合や、その変動の許容範囲が大きく設定されている場合には、必ずしも炭酸ガス溶解量のフィードバック制御を行う必要はない。また、例えば、炭酸ガス溶解装置３への炭酸ガス溶解水の供給量が一定である場合には、炭酸ガス溶解装置３の入口側の炭酸ガス濃度に基づいたフィードフォワード制御によって炭酸ガス溶解量を調整することもできる。さらに、上述した純水または超純水の補給が純水または超純水補給ライン１５ｂのみから行われる場合には、その補給量に基づいて、炭酸ガス溶解装置３の炭酸ガス溶解量を調整するようになっていてもよい。
【００４４】
本実施形態の供給システム１は、炭酸ガス溶解水を循環させて処理を行うシステムであるため、イオン交換装置４は、第１の実施形態とは異なり、必ずしも炭酸ガス溶解装置３の下流側に接続されている必要はない。イオン交換装置４は、炭酸ガス溶解装置３の上流側に接続されていてもよく、例えば、循環ポンプ１３と炭酸ガス溶解装置３との間に設けられていてもよい。
【００４５】
なお、図示した例では、供給システム１は、１つのユースポイント２に対して炭酸ガス溶解水を供給するようになっているが、複数のユースポイント２に対して炭酸ガス溶解水を供給するようになっていてもよい。すなわち、それぞれが循環ライン１１と各ユースポイント２とを接続する複数の供給ライン１４が設けられていてもよい。さらに、精密ろ過膜装置７は循環ライン１１に設けられているが、供給ライン１４に設けられていてもよい。
【００４６】
（第３の実施形態）
次に、本発明の第３の実施形態による炭酸ガス溶解水供給システムの構成について説明する。図３は、本実施形態の炭酸ガス溶解水供給システムの概略構成図である。
【００４７】
本実施形態は、第２の実施形態の変形例であって、第２の実施形態の供給システムを、ユースポイントとして枚葉式洗浄装置に適用したときの構成例である。以下、第２の実施形態と同様の構成については、図面に同じ符号を付してその説明を省略し、第２の実施形態と異なる構成のみ説明する。
【００４８】
ユースポイントとしての洗浄装置２０は、洗浄チャンバ２１と、半導体ウエハ２２の表面に薬液を噴射するための薬液ノズル２３と、半導体ウエハ２２の表面にリンス液（炭酸ガス溶解水）を噴射するためのリンス液ノズル２４と、半導体ウエハ２２の表面に噴射された薬液およびリンス液を回収するためのカップ２５と、薬液ノズル２３に薬液を供給する薬液供給装置２６とを有している。薬液ノズル２３と薬液供給装置２６とは、薬液供給弁２６ａを備えた薬液供給ライン２６ｂによって接続されている。また、リンス液ノズル２４は、供給弁１４ａを介して供給ライン１４に接続されている。なお、洗浄チャンバ２１内の雰囲気は大気雰囲気であるが、必要に応じて、窒素雰囲気にすることもできる。洗浄チャンバ２１には、洗浄チャンバ２１内の酸排気を行うための酸排気ライン（図示せず）が接続されている。
【００４９】
薬液ノズル２３は、作動位置であるカップ２５の内側と、待機位置であるカップ２５の外側との間を移動可能に構成されている。リンス液ノズル２４も同様に、作動位置であるカップ２５の内側と、待機位置であるカップ２５の外側との間を移動可能に構成されている。このような構成により、洗浄工程では、リンス液ノズル２４を待機位置に移動させ、薬液ノズル２３を作動位置に移動させて薬液供給弁２６ａを開放することで、薬液供給装置２６から薬液ノズル２３を通じて、半導体ウエハ２２の表面に薬液を噴射することができる。一方、その後のリンス工程では、薬液ノズル２３を待機位置に移動させ、リンス液ノズル２４を作動位置に移動させて供給弁１４ａを開放することで、供給ライン１４からリンス液ノズル２４を通じて、半導体ウエハ２２の表面にリンス液（炭酸ガス溶解水）を噴射することができる。薬液供給装置２６は、薬液に含まれる不純物を除去する精密ろ過膜を有していてもよい。
【００５０】
洗浄装置２０と供給システム１との間には、カップ２５と貯留タンク１２とを接続する還流ライン（還流手段）１６が設けられている。洗浄装置２０において、リンス工程の前半でカップ２５に回収される炭酸ガス溶解水には、半導体ウエハ２２の表面に付着していた薬液の残渣などの不純物が多く含まれているが、リンス工程の後半では、不純物の混入が比較的少ない炭酸ガス溶解水がカップ２５に回収されることになる。還流ライン１６は、カップ２５で回収した薬液や炭酸ガス溶解水のうち、このような比較的清浄度の高い炭酸ガス溶解水を循環経路１０に還流させるために設けられており、切換弁２５ａを介してカップ２５に接続されている。一方、薬液や上述のような比較的清浄度の低い炭酸ガス溶解水は、切換弁２５ａを介してカップ２５に接続された廃液排出ライン２５ｂを通じて、外部に排出されるようになっている。炭酸ガス溶解水の貯留タンク１２への回収と外部への排出との切り替えは、洗浄装置のプロセスレシピに基づいて行うことができる。あるいは、還流ライン１６などに炭酸ガス溶解水の水質を検出する水質検出手段（例えば、導電率計など）を設け、その検出値に基づいて行うこともできる。
【００５１】
洗浄装置２０では、初期発塵を抑えるために、半導体ウエハの洗浄を行っていない運転停止中にも、洗浄チャンバ２１内に炭酸ガス溶解水をフローさせておくことが好ましい。また、供給ライン１４内に炭酸ガス溶解水が滞留して、いわゆる死に水やコンタミネーションが発生するのを防止するためにも、リンス液ノズル２４が待機位置にあるときに、リンス液ノズル２４から炭酸ガス溶解水をフローさせておくことが好ましい。そのために、洗浄装置２０は、待機位置にあるリンス液ノズル２４に対向する位置に配置され、リンス液ノズル２４からフローした炭酸ガス溶解水を回収するカップ２７と、カップ２７で回収した炭酸ガス溶解水を還流ライン１６に合流させる合流ライン２８とを有している。このような構成により、洗浄装置２０に供給されたものの単にフローさせただけの炭酸ガス溶解水、すなわち、洗浄装置２０においてリンスに使用されなかった炭酸ガス溶解水も、還流ライン１６を通じて循環経路１０に還流させることができる。
【００５２】
以上のように、本実施形態の供給システム１によれば、洗浄装置２０において使用されたものの比較的清浄度の高い炭酸ガス溶解水や、未使用の炭酸ガス溶解水を回収して再利用することができる。これにより、純水または超純水と炭酸ガスとの消費量を削減することができ、運転コストを低減することができる。
【００５３】
ところで、炭酸ガス溶解水の炭酸ガス濃度、すなわち純水または超純水に対する炭酸ガスの溶解度は、ヘンリーの法則に従うと考えられる。したがって、炭酸ガス溶解水がリンス液ノズル２４から噴射されると、洗浄チャンバ２１内の雰囲気にかかわらず、炭酸ガス溶解水中の炭酸ガスの少なくとも一部は、液相（炭酸ガス溶解水）から気相（洗浄チャンバ２１）に移動することになる。そのため、還流ライン１６を通じて回収される炭酸ガス溶解水の炭酸ガス濃度は、循環経路１０を循環している炭酸ガス溶解水の炭酸ガス濃度よりも低くなる。これによっても、貯留タンク１２内の炭酸ガス溶解水の炭酸ガス濃度は変化することになるが、その場合にも、本実施形態によれば、第２の実施形態と同様に、循環経路１０に沿って循環する炭酸ガス溶解水の炭酸ガス濃度を常に一定に保つことができる。
【００５４】
なお、洗浄装置２０から回収される炭酸ガス溶解水、特に、洗浄装置２０において使用されたものの比較的清浄度の高い炭酸ガス溶解水は、例えば、Ｎａ、Ｃａ、Ｆｅ、Ｎｉ、Ｍｎ、Ａｌなどのカチオン性不純物を含んでいる。そのため、本実施形態では、イオン交換装置４のイオン交換塔に、アニオン交換体だけでなく、カチオン交換体がさらに充填されていることが好ましい。
【００５５】
また、本実施形態においても、複数の洗浄装置２０に対して炭酸ガス溶解水を供給するようになっていてもよい。すなわち、それぞれが循環ライン１１と各洗浄装置２０とを接続する複数の供給ライン１４と、それぞれが各洗浄装置２０と貯留タンク１２とを接続する複数の還流ライン１６とが設けられていてもよい。また、図示した例では、精密ろ過膜装置７は供給ライン１４に設けられているが、循環ライン１１に設けられていてもよい。
【００５６】
（第４の実施形態）
次に、本発明の第４の実施形態による炭酸ガス溶解水供給システムの構成について説明する。図４は、本実施形態の炭酸ガス溶解水供給システムの概略構成図である。
【００５７】
本実施形態は、第３の実施形態の変形例であって、第３の実施形態の構成に対して、脱気装置を新たに追加した変形例である。以下、第３の実施形態と同様の構成については、図面に同じ符号を付してその説明を省略し、第３の実施形態と異なる構成のみ説明する。
【００５８】
洗浄装置２０の洗浄チャンバ２１では、上述したヘンリーの法則に基づいて、液相（炭酸ガス溶解水）と気相（洗浄チャンバ２１）との間で気体のやり取りが行われる。そのため、洗浄チャンバ２１が大気雰囲気である場合、炭酸ガス溶解水が洗浄チャンバ２１から酸素を取り込むことがある。その結果、洗浄装置２０から回収される炭酸ガス溶解水は、純水または超純水にもともと溶解していた酸素の濃度よりも高い濃度の酸素を含んでいることがある。炭酸ガス溶解水に溶解した酸素（溶存酸素）の濃度が高くなると、半導体ウエハ２２の表面に酸化膜を形成する要因になるだけでなく、より精密な洗浄も困難になる。したがって、炭酸ガス溶解水の溶存酸素濃度は、できるだけ低濃度に管理されていることが好ましい。
【００５９】
このため、本実施形態の供給システム１は、循環ポンプ１３と循環停止弁１１ａとの間の循環ライン１１に設けられ、炭酸ガス溶解水中の少なくとも溶存酸素を除去する脱気装置３０を有している。
【００６０】
脱気装置３０は、膜脱気装置であってもよいが、その場合、炭酸ガス溶解水から炭酸ガスそのものが除去されてしまい、また、装置が大型化することもある。したがって、本実施形態の脱気装置３０は、以下に示すように、水素ガス溶解装置３１と触媒反応装置３２とから構成されていることが好ましい。
【００６１】
水素ガス溶解装置３１は、炭酸ガス溶解水に水素を溶解させるものである。水素ガス溶解装置３１としては、炭酸ガス溶解水に水素を添加できるものであればよく、例えば、ガス溶解膜を用いたガス溶解方式を利用したものや、電解セルを用いた直接電解方式を利用したものを用いことができる。
【００６２】
触媒反応装置３２は、白金族金属担持触媒を備えている。白金族金属担持触媒（以下、単に「触媒」ともいう）は、白金族金属が担体に担持されたものであり、水素ガス溶解装置３１により炭酸ガス溶解水に溶解した水素（溶存水素）と、炭酸ガス溶解水中の溶存酸素とを反応させて、水を生成する機能を有している（２Ｈ２＋Ｏ２→２Ｈ２Ｏ）。これにより、触媒反応装置３２は、水素が溶解した炭酸ガス溶解水を白金族金属担持触媒と接触させることで、炭酸ガス溶解水中の溶存酸素を選択的に除去することができる。触媒反応装置３２の形態としては、例えば、白金族金属担持触媒を層状に充填した触媒充填塔が挙げられるが、これに限定されるものではない。
【００６３】
白金族金属担持触媒の担体としては、アニオン交換体またはアニオン交換樹脂を用いることができる。触媒の調整および反応性の観点からは、アニオン交換体を用いることが好ましい。特に、アニオン交換体は、モノリス状有機多孔質であることがより好ましい。モノリス状有機多孔質アニオン交換体を用いることで、２０００〜２００００ｈ−１の空間速度で炭酸ガス溶解水を通水することができ、その結果、水処理性能を向上させることができる。また、モノリス状有機多孔質アニオン交換体は、装置の小型化に寄与できる点でも有利である。なお、白金族金属担持触媒の担体としてアニオン交換体を用いる場合、アニオン交換体は、イオン交換装置４のアニオン交換体と同様の理由により、重炭酸イオン形のアニオン交換体であるか、または、重炭酸イオン形と炭酸イオン形とが混在するアニオン交換体であることが好ましい。
【００６４】
なお、本実施形態においても、イオン交換装置４は、炭酸ガス溶解装置３の上流側に設けられていてもよく、例えば、脱気装置３０と炭酸ガス溶解装置３との間に設けられていてもよい。これにより、還流ライン１６を通じて混入する不純物や脱気装置３０からの溶出物（特に、触媒反応装置３２から溶出する白金族金属）を、炭酸ガス溶解装置３の手前で除去することができる。また、イオン交換装置４は、炭酸ガス溶解装置３の上流側と下流側の両方に設けられていてもよい。
【００６５】
（第５の実施形態）
次に、本発明の第５の実施形態による炭酸ガス溶解水供給システムの構成について説明する。図５は、本実施形態の炭酸ガス溶解水供給システムの概略構成図である。
【００６６】
本実施形態は、第４の実施形態の変形例であって、第４の実施形態の構成に対して、熱交換器と紫外線酸化装置とを新たに追加した変形例である。以下、第４の実施形態と同様の構成については、図面に同じ符号を付してその説明を省略し、第４の実施形態と異なる構成のみ説明する。
【００６７】
本実施形態の供給システム１は、循環ポンプ１３と脱気装置３０のとの間の循環ライン１１に設けられた、熱交換器４１と紫外線酸化装置４２とを有している。熱交換器４１は、循環処理による温度変化を抑え、炭酸ガス溶解水を所定の温度範囲に調整することができる。また、紫外線酸化装置４２は、炭酸ガス溶解水に紫外線を照射することで、炭酸ガス溶解水に含まれる全有機炭素（ＴＯＣ）を分解することができ、そのＴＯＣ濃度を低減することができる。炭酸ガス溶解水にＴＯＣが含まれる要因としては、洗浄装置２０から還流ライン１６を介して回収された炭酸ガス溶解水に、洗浄装置２０のプロセス由来のＴＯＣが含まれていることや、循環処理に伴い、構成部材から炭酸ガス溶解水にＴＯＣが溶出することなどが考えられる。
【００６８】
本実施形態では、イオン交換装置４を炭酸ガス溶解装置３の上流側に設ける場合、イオン交換装置４の位置は、脱気装置３０と炭酸ガス溶解装置３との間であることが好ましい。これは、上述したように、脱気装置３０の触媒反応装置３２から白金族金属が溶出する可能性があるためである。
【００６９】
（第６の実施形態）
次に、本発明の第６の実施形態による炭酸ガス溶解水供給システムの構成について説明する。図６は、本実施形態の炭酸ガス溶解水供給システムの概略構成図である。
【００７０】
本実施形態は、第５の実施形態の変形例であって、第５の実施形態の構成に対して、窒素ガス溶解装置を新たに追加し、それに伴い、脱気装置の構成を変更した変形例である。以下、第５の実施形態と同様の構成については、図面に同じ符号を付してその説明を省略し、第５の実施形態と異なる構成のみ説明する。
【００７１】
洗浄装置２０の構成によっては、リンス液として洗浄装置２０に供給される炭酸ガス溶解水に対して、そこに溶存した窒素の濃度（溶存窒素濃度）を所定の範囲に調整することが求められる場合がある。すなわち、炭酸ガス溶解水に対して、ある一定以上の濃度で窒素を溶解させる必要がある。
【００７２】
このため、本実施形態の供給システム１は、炭酸ガス溶解水に窒素を溶解させる窒素ガス溶解装置５１を有している。窒素ガス溶解装置５１としては、炭酸ガス溶解水に窒素ガスを溶解させることができるものであればよく、例えば、膜溶解などを用いることができる。窒素ガスは、窒素ガスライン（図示せず）を通じて窒素ガス溶解装置５１に供給することができる。
【００７３】
窒素ガス溶解装置５１の位置は、図示した例に限定されるものではなく、炭酸ガス溶解装置３とイオン交換装置４との間であってもよく、あるいは、炭酸ガス溶解装置３の上流側であってもよい。また、イオン交換装置４が炭酸ガス溶解装置３の上流側に設けられている場合にも、窒素ガス溶解装置５１の位置は、イオン交換装置４および炭酸ガス溶解装置３の下流側、イオン交換装置４と炭酸ガス溶解装置３との間、および、イオン交換装置４および炭酸ガス溶解装置３の上流側のいずれであってもよい。
【００７４】
さらに、図示した例では、窒素ガス溶解装置５１は循環ライン１１に設けられているが、供給ライン１４に設けられていてもよい。また、供給システム１が複数の洗浄装置２０を有している場合には、洗浄装置２０ごとに窒素ガス溶解装置５１が設けられていてもよく、あるいは、いくつかの洗浄装置２０に１つの窒素ガス溶解装置５１が設けられていてもよい。すなわち、洗浄装置２０ごとに溶存窒素濃度が異なる炭酸ガス溶解水を供給するようになっていてもよく、あるいは、いくつかの洗浄装置２０に溶存窒素濃度が同じ炭酸ガス溶解水を供給するようになっていてもよい。
【００７５】
供給システム１が複数の洗浄装置２０を有し、洗浄装置２０ごとに炭酸ガス濃度が異なる炭酸ガス溶解水を供給することが求められる場合には、炭酸ガス溶解装置３とイオン交換装置４は、供給ライン１４に設けられていてもよい。
【００７６】
なお、洗浄装置２０の洗浄チャンバ２１では、上述したヘンリーの法則に基づいて、炭酸ガス溶解水と洗浄チャンバ２１との間で気体のやり取りが行われる。そのため、炭酸ガス溶解水が、酸素だけでなく窒素も取り込んでしまい、貯留タンク１２内の炭酸ガス溶解水の溶存窒素濃度が、要求される溶存窒素濃度よりも高くなる可能性がある。また、貯留タンク１２を窒素ガスでパージする場合、貯留タンク１２内の炭酸ガス溶解水の溶存窒素濃度は、要求される溶存窒素濃度よりも高くなることがある。このような場合には、炭酸ガス溶解水中の溶存窒素を一旦低減（除去）した後に、炭酸ガス溶解水に窒素を溶解させる必要がある。
【００７７】
しかしながら、上述した実施形態のように、水素ガス溶解装置３１と触媒反応装置３２とから構成された脱気装置３０では、炭酸ガス溶解水中の溶存窒素を除去することができない。そこで、本実施形態のように、供給システム１が窒素ガス溶解装置５１を有している場合、脱気装置３０は、炭酸ガス溶解水中の溶存酸素だけでなく溶存窒素も除去可能な膜脱気装置であることが好ましい。このとき、窒素ガス溶解装置５１は、脱気装置（膜脱気装置）３０の下流側に設けられていることが好ましい。
【００７８】
上述した実施形態では、洗浄装置として、炭酸ガス溶解水をリンス液として用いるものを例に挙げて説明したが、これに限定されるものではなく、洗浄液として用いるものであってもよい。
【符号の説明】
【００７９】
１  炭酸ガス溶解水供給システム
２  ユースポイント
３  炭酸ガス溶解装置
４  イオン交換装置
５  溶存炭酸ガス計
６  制御部
７  精密ろ過膜装置
１１  循環ライン
１１ａ  循環停止弁
１１ｂ  補給弁
１２  貯留タンク
１３  循環ポンプ
１４  供給ライン
１４ａ  供給弁
１５ａ，１５ｂ  純水または超純水補給ライン
１６  還流ライン
２０  洗浄装置
２１  洗浄チャンバ
２２  半導体ウエハ
２３  薬液ノズル
２４  リンス液ノズル
２５，２７  カップ
２５ａ  切換弁
２５ｂ  廃液排出ライン
２６  薬液供給装置
２６ａ  薬液供給弁
２６ｂ  薬液供給ライン
２８  合流ライン
３０  脱気装置
３１  水素ガス溶解装置
３２  触媒反応装置
４１  熱交換器
４２  紫外線酸化装置
５１  窒素ガス溶解装置
【図１】
0006430772.tif 000002
【図２】
0006430772.tif 000003
【図３】
0006430772.tif 000004
【図４】
0006430772.tif 000005
【図５】
0006430772.tif 000006
【図６】
0006430772.tif 000007